(57)【要約】【課題】振動・衝撃等によってもロックが容易に解除されず、ロック孔に薄板等を挿入してもラッチが容易にロック解除されないファスナー錠を得る。【解決手段】ファスナー錠１００において、摘み片３５を先端３５ａから挿入可能とするロック孔４５を有したロック部４１と、摘み片３５の表裏に貫通する係止穴４３と、摘み片３５の先端３５ａに先細となるように形成されたテーパ面４７と、ロック部４１に設けられ係止穴４３に嵌入するラッチ４９と、ラッチ４９の嵌入先端に挿入の方向に突出して設けられ係止穴４３の裏縁４３ａに係止する返し突起５５と、ロック部４１に設けられ摘み片３５をロック孔４５から押し出す方向に付勢する付勢手段５７と、ラッチ４９のロック孔開口に対面する面に設けられ摘み片３５の挿入方向と略垂直に形成された当接面５９とを設けた。【選択図】      図１
2007289337.tif 000002
【特許請求の範囲】
【請求項１】
ファスナースライダーの摘み片をロックすることで、一対の務歯付テープの固定される開閉縁部同士を開放不能とするファスナー錠であって、
スライダー閉止移動方向と平行な姿勢の前記摘み片を先端から挿入可能とするロック孔を有したロック部と、
前記摘み片の表裏に貫通する係止穴と、
前記摘み片の先端に先細となるように形成されたテーパ面と、
前記ロック部に設けられ前記係止穴に嵌入するラッチと、
該ラッチの嵌入先端に前記挿入の方向に突出して設けられ前記係止穴の裏縁に係止する返し突起と、
前記ロック部に設けられ前記摘み片を前記ロック孔から押し出す方向に付勢する付勢手段と、
前記ラッチのロック孔開口に対面する面に設けられ前記係止穴に先端側を嵌入させた前記ラッチの前記係止穴へ嵌入しない基端側で前記挿入方向と略直交して形成された当接面と、
を具備したことを特徴とするファスナー錠。
【請求項２】
前記ロック部に、錠装置と、該錠装置によって駆動される解除機構とが設けられ、
前記解除機構は、前記錠装置に挿入された合鍵の解錠回転によって、前記ラッチに、係止穴から退出させる方向の付勢力を付与することを特徴とする請求項１記載のファスナー錠。
【請求項３】
前記解除機構は、前記錠装置に挿入された合鍵の解錠回転によって、前記ラッチを、前記返し突起の係止解除方向へ移動させることを特徴とする請求項２記載のファスナー錠。
【請求項４】
前記錠装置が、シリンダー錠であることを特徴とする請求項２又は３記載のファスナー錠。
【発明の詳細な説明】
【技術分野】
【０００１】
本発明は、ファスナースライダーの摘み片をロックすることで、一対の務歯付テープの固定される開閉縁部同士を開放不能とするファスナー錠に関する。
【背景技術】
【０００２】
例えばファスナーによって縁部が開閉される鞄やスーツケース等は、開閉縁部のそれぞれに一対の務歯付テープが固定され、これらの務歯列同士をスライダーによって係合・係合解除することで、開閉を簡便にできるようにしている。この種の鞄等では、図６に示すように、スライダー１に設けられた摘み片３を、鞄本体に設けられたロック部５のロック孔７に挿入してロックすることで、開閉縁部同士を開放不能とするファスナー錠９の設けられることがある（例えば特許文献１参照）。
【０００３】
従来、この種のファスナー錠９は、ロック部５にラッチ１１を備える。ラッチ１１は、摘み片３に形成された係止穴１３に進入係止するラッチ爪１５を有し、付勢手段であるコイルバネ１７によって係止方向（図６の下方向）に付勢されている。また、ラッチ爪１５のロック孔開口に対面する面には傾斜面１９が設けられ、傾斜面１９は摘み片３の挿入時による先端３ａの押圧によってラッチ１１を押し上げるよう働く。
【０００４】
したがって、摘み片３がロック孔７に挿入されると、摘み片３の先端３ａがラッチ爪１５の傾斜面１９を押圧し、これによりラッチ１１を押し上げる。ラッチ爪１５が先端３ａに乗り上げた後、摘み片３がさらに挿入され、係止穴１３がラッチ爪１５に到達すると、図７に示すように、ラッチ１１がコイルバネ１７の付勢力によって係止穴１３に進入する。これにより、摘み片３は、ラッチ爪１５の係止面１５ａに係止してロック部５からの抜脱が規制され、ファスナーの開放による鞄縁部同士の開放が不能な施錠状態となる。なお、ラッチ１１のロック解除は、ロック部５に設けられる不図示の錠装置に鍵が挿入され、この鍵が回されることにより、ラッチ１１が引っ込み解錠される。
【特許文献１】実用新案登録第３１０７８１６号公報
【発明の開示】
【発明が解決しようとする課題】
【０００５】
しかしながら、従来のファスナー錠は、コイルバネ１７の付勢力によってのみ、ラッチ爪１５を係止穴１３に進入係止させていたため、摘み片３に引き抜き方向（図７の左方向）の力が作用し、振動や衝撃によって、ラッチ１１に抜脱方向（図７の上方向）の慣性力が作用すると、そのタイミングによってはラッチ爪１５が係止穴１３から抜けてしまう問題があった。
【０００６】
また、ラッチ爪１５は、ロック孔開口に対面する面の全体に傾斜面１９が形成されていたため、図８（ａ）に示すように、摘み片３の挿入されたロック孔７の隙間Ｓに、薄板２１等を挿入すれば、その先端によって傾斜面１９を押圧し、ラッチ１１を押し上げ、図８（ｂ）に示すように、ラッチ爪１５を係止穴１３から抜脱する不正なロック解除が可能となる虞があった。
【０００７】
本発明は上記状況に鑑みてなされたもので、振動・衝撃等によってもロックが容易に解除されず、しかも、ロック孔に薄板等を挿入してもラッチが係止穴から容易にロック解除されないファスナー錠を提供し、もって、施錠信頼性、防犯性の向上を図ることを目的とする。
【課題を解決するための手段】
【０００８】
次に、上記の課題を解決するための手段を、実施の形態に対応する図面を参照して説明する。
本発明の請求項１記載のファスナー錠は、ファスナースライダー３３の略板状の摘み片３５をロックすることで、一対の務歯付テープ３９ａ，３９ｂの固定される開閉縁部同士を開放不能とするファスナー錠１００であって、
スライダー閉止移動方向と平行な姿勢の前記摘み片３５を先端３５ａから挿入可能とするロック孔４５を有したロック部４１と、
前記摘み片３５の表裏に貫通する係止穴４３と、
前記摘み片３５の先端に先細となるように形成されたテーパ面４７と、
前記ロック部４１に設けられ前記係止穴４３に嵌入するラッチ４９と、
該ラッチ４９の嵌入先端に前記挿入の方向に突出して設けられ前記係止穴４３の裏縁４３ａに係止する返し突起５５と、
前記ロック部４１に設けられ前記摘み片３５を前記ロック孔４５から押し出す方向に付勢する付勢手段５７と、
前記ラッチ４９のロック孔開口に対面する面に設けられ前記係止穴４３に先端側を嵌入させた前記ラッチ４９の前記係止穴４３へ嵌入しない基端側で前記挿入方向と略直交し垂直に形成された当接面５９と、
を具備したことを特徴とする。
【０００９】
このファスナー錠では、摘み片３５がロック孔４５に挿入されると、摘み片３５の係止穴４３にラッチ４９が嵌入する。そして、付勢手段５７が摘み片３５を押し戻す方向に付勢することで、係止穴４３とロック孔４５との内縁同士が当接しあい、また、ラッチ先端の返し突起５５が係止穴裏縁４３ａに係合する。したがって、ラッチ４９は、係止穴４３からの抜脱が返し突起５５によって容易に外れることがない。また、ロック孔４５内の摘み片３５との隙間に薄板２１を挿入しても、薄板先端が挿入先でラッチ４９の略直交している垂直な当接面５９に当たるのみとなる。
【００１０】
請求項２記載のファスナー錠は、前記ロック部４１に、錠装置と、該錠装置によって駆動される解除機構とが設けられ、
前記解除機構は、前記錠装置に挿入された合鍵の解錠回転によって、前記ラッチ４９に、係止穴４３から退出させる方向の付勢力を付与することを特徴とする。
【００１１】
このファスナー錠では、合鍵が回転され、ラッチ４９に退出方向の付勢力が付与されている状態で、直接的に、或いはスライダー３３を介して摘み片３５を、付勢手段５７の付勢力に抗してロック孔４５奥方へ押し込めば、係止穴４３に対する返し突起５５の係止が解除され、ラッチ４９が解除機構の付勢力によって係止穴４３から退出する。
【００１２】
請求項３記載のファスナー錠は、前記解除機構は、前記錠装置に挿入された合鍵の解錠回転によって、前記ラッチ４９を、前記返し突起５５の係止解除方向へ移動させることを特徴とする。
【００１３】
このファスナー錠では、合鍵の回転のみによって、ラッチ４９に退出方向の付勢力が付与され、かつ摘み片３５が移動されて、係止穴４３に対する返し突起５５の係止が解除され、すなわち付勢手段５７の付勢力がキャンセルされ、ラッチ４９が解除機構の付勢力によって係止穴４３から退出する。
【００１４】
請求項４記載のファスナー錠は、前記錠装置が、シリンダー錠であることを特徴とする。
【００１５】
このファスナー錠では、解除機構を解錠操作する前段階においても、シリンダー錠に合鍵を挿入して、解除機構を作動させなければならない。
【発明の効果】
【００１６】
本発明に係る請求項１記載のファスナー錠によれば、摘み片の表裏に貫通する係止穴と、摘み片先端のテーパ面と、係止穴に嵌入するラッチと、ラッチの先端に突出して設けられ係止穴に係止する返し突起と、摘み片を押し出す方向に付勢する付勢手段と、ラッチの基端側で挿入方向と略垂直に形成された当接面とを備えたので、摘み片がロック孔に挿入されると、摘み片の係止穴にラッチが嵌入し、付勢手段が摘み片を押し戻す方向に付勢することで、ラッチ先端の返し突起が係止穴裏縁に係合する。したがって、ラッチは、係止穴からの抜脱が返し突起によって阻止され、振動・衝撃等によるロック解除が確実に防止される。また、ロック孔内の摘み片との隙間に薄板を挿入しても、薄板先端が挿入先でラッチの直交する当接面に当たるのみなので、従来のように、ラッチの傾斜面を押圧して、その分力でラッチを係止穴から抜脱する方向へ押し上げることができない。この結果、ロック状態を確実にし、施錠信頼性を向上させることができるとともに、薄板を挿入することによる不正解錠を阻止して、防犯性を向上させることができる。
【００１７】
請求項２記載のファスナー錠によれば、ロック部に、錠装置と、錠装置によって駆動される解除機構とが設けられ、解除機構が、錠装置に挿入された合鍵の解錠回転によって、ラッチに、係止穴から退出させる方向の付勢力を付与するので、合鍵が回転され、ラッチに退出方向の付勢力が付与されている状態で、直接的に、或いはスライダーを介して摘み片を、付勢手段の付勢力に抗してロック孔へ押し込めば、係止穴に対する返し突起の係止が解除され、ラッチが解除機構の付勢力によって係止穴から退出し、クリック感を生じさせた明快なロック解除感によって、摘み片をロック部からロック解除させることができる。
【００１８】
請求項３記載のファスナー錠によれば、錠装置に挿入された合鍵の解錠回転によって、解除機構がラッチを返し突起の係止解除方向へ移動させるので、合鍵の回転によって、ラッチに退出方向の付勢力が付与され、かつ摘み片が移動されて、係止穴に対する返し突起の係止が解除され、ラッチが解除機構の付勢力によって係止穴から退出する。これにより、合鍵の回転操作のみによる容易な解錠操作（すなわち、摘み片の押し込みを不要とした操作）によって、摘み片をロック部からロック解除することができる。
【００１９】
請求項４記載のファスナー錠によれば、錠装置が、シリンダー錠であるので、解除機構を解錠操作する前段階においても、シリンダー錠に合鍵を挿入して、解除機構を作動させなければならず、合鍵によってロック部のロック機構を直接解除する簡易な錠装置（例えば合鍵の回転操作によってラッチを直接的に作動させる錠装置等）に比べ、ファスナー錠全体の防犯性を高めることができる。
【発明を実施するための最良の形態】
【００２０】
以下、本発明に係るファスナー錠の好適な実施の形態を図面を参照して詳細に説明する。
図１は本発明に係るファスナー錠の摘み片に垂直な方向の断面図、図２は本発明に係るファスナー錠が設けられるファスナーの斜視図である。
【００２１】
本実施の形態による図１に示すファスナー錠１００は、図２に示すファスナー３１のスライダー３３に設けられた板状の摘み片３５をロックすることで、一対の務歯３７ａ，３７ｂの付設されたテープ３９ａ，３９ｂの固定される不図示の開閉縁部同士を開放不能とする。摘み片３５は、例えば鞄本体等に設けられるロック部４１によってロックされる。これにより、ファスナー３１の設けられた鞄等の開閉縁部同士が開放不能に施錠される。
【００２２】
本実施の形態によるファスナー錠１００は、スライダー３３を開閉操作するための略矩形板状の摘み片３５に、表裏に貫通する例えば四角形の係止穴４３が穿設される。この係止穴４３は、後述するラッチの外形と略同一の大きさ寸法Ｗで形成されている。つまり、ラッチは、係止穴４３に、略ガタツキなく進入し嵌入するようになっている。摘み片３５は、スライダー３３の閉止移動方向（図１の左右方向）と平行な姿勢で、ロック部４１のロック孔４５に先端３５ａから挿入される。摘み片３５の先端３５ａには先細となるように形成されたテーパ面４７が設けられている。このテーパ面４７は、一方の面、例えば表面となる面側、図１，２において上側の面にのみ形成される斜面よりなり、後述するラッチ４９を押し上げる作用を有する。
【００２３】
ロック部４１にはラッチ４９が図１の上下方向に移動自在に設けられ、ラッチ４９は下面に垂設されたラッチ爪５１が係止穴４３に嵌入する。ラッチ４９は、付勢手段であるコイルバネ５３によって、係止穴４３に進入する方向（図１の下方向）に付勢されている。また、ラッチ爪５１の嵌入先端には摘み片挿入方向（図１の右方向）に突出する返し突起５５が設けられ、返し突起５５は係止穴４３の裏縁４３ａに係止可能となる。
【００２４】
ロック部４１には摘み片３５をロック孔４５から押し出す方向に付勢する付勢手段としてのコイルバネ５７が設けられている。したがって、ロック孔４５に進入し、ラッチ爪５１が係止穴４３に嵌入した摘み片３５は、コイルバネ５７によって押し戻されることで、返し突起５５が裏縁４３ａに掛かり、係止穴４３から抜ける方向（図１の上方向）の移動が規制される。
【００２５】
なお、ロック部４１には、不図示の錠装置と、この錠装置によって駆動される解除機構とが設けられる。解除機構は、錠装置に挿入された合鍵の解錠回転によって、ラッチ４９に、係止穴４３から退出させる方向の付勢力を付与する。ファスナー錠１００は、ロック部４１に、このような錠装置と解除機構とが設けられることで、合鍵を回転し、ラッチ４９に退出方向（上方向）の付勢力が付与されている状態で、直接的に、或いはスライダー３３を介して摘み片３５を、コイルバネ５７の付勢力に抗してロック孔４５へ押し込めば、係止穴４３に対する返し突起５５の係止が解除される。これにより、ラッチ４９が解除機構の付勢力によって係止穴４３から退出し、クリック感を生じさせた明快なロック解除感によって、摘み片３５をロック部４１からロック解除させることができる。
【００２６】
ここで、解除機構は、錠装置に挿入された合鍵の解錠回転によって、ラッチ４９を、返し突起５５の係止解除方向へ移動させる機構を備えるものであってもよい。このようなラッチ移動機構を備えた構成によれば、錠装置に挿入された合鍵の解錠回転によって、解除機構がラッチ４９を返し突起５５の係止解除方向へ移動させるので、合鍵の回転によって、ラッチ４９に退出方向の付勢力が付与され、かつ摘み片３５が移動されて、係止穴４３に対する返し突起５５の係止が解除され、ラッチ４９が解除機構の付勢力によって係止穴４３から退出する。これにより、合鍵の回転操作のみによる容易な解錠操作（すなわち、摘み片３５の押し込みを不要とした操作）によって、摘み片３５をロック部４１からロック解除することができる。
【００２７】
また、ロック部４１の錠装置としては、シリンダー錠を採用することが好ましい。錠装置が、シリンダー錠であれば、解除機構を解錠操作する前段階においても、シリンダー錠に合鍵を挿入して、解除機構を作動させなければならず、合鍵によってロック部４１のロック機構を直接解除する簡易な錠装置（例えば合鍵の回転操作によってラッチ４９を直接的に作動させる錠装置等）に比べ、ファスナー錠１００全体の防犯性を高めることができる。
【００２８】
さらに、ファスナー錠１００は、ラッチ４９のロック孔開口に対面する面に、摘み片３５の挿入方向と略直交し略垂直に形成された当接面５９が設けられている。当接面５９は、係止穴４３に先端側を嵌入させたラッチ４９の基端側に形成されている。また、ラッチ爪５１には当接面５９の下方に傾斜面１９が形成され、傾斜面１９は摘み片３５の挿入時による先端３５ａの押圧によってラッチ４９を押し上げるよう働く。ここで、摘み片３５の厚さと、ロック孔４５の高さ（幅）と、ロック爪５１の形状との関係として、ロック爪５１が、摘み片３５の係止穴４３に嵌入状態のロック状態では、傾斜面１９と当接面５９との接合縁（稜線）が係止穴４３内に位置するように設定され（図４参照）、すなわちロック孔４５の摘み片３５との隙間において、傾斜面１９は現れることがない。
【００２９】
次に、以上のように構成されたファスナー錠１００の作用を説明する。
図３は摘み片挿入途中の断面図、図４は摘み片ロック状態の断面図、図５は薄板挿入による不正解錠時の説明図である。
ファスナー錠１００は、摘み片３５がロック孔４５に挿入されると、摘み片３５の先端３５ａがラッチ４９の傾斜面１９を押圧し、これによりラッチ４９を押し上げる。図３に示すように、ラッチ爪５１が先端３５ａに乗り上げた後、摘み片３５がさらに挿入され、摘み片３５の係止穴４３がラッチ爪５１に到達すると、図４に示すように、ラッチ４９がコイルバネ５３の付勢力によって係止穴４３に嵌入する。すなわち、自動施錠は、摘み片３５のテーパ面４７と、ラッチ爪５１の傾斜面１９とで行われる。
【００３０】
そして、摘み片３５の挿入力が解除されると、摘み片３５は、コイルバネ５７によって押し戻される方向に付勢される。これにより、係止穴４３の裏縁４３ａが、ラッチ爪５１の返し突起５５に係合する。したがって、ラッチ爪５１は、係止穴４３からの抜脱が返し突起５５によって阻止される。また、摘み片３５は、ラッチ爪５１の係止面５１ａに係止してロック部４１からの抜脱が規制され、ファスナー３１の開放による鞄縁部同士の開放が不能な施錠状態となる。
【００３１】
また、摘み片３５の施錠状態において、図５（ａ）に示すように、ロック孔４５に挿入された摘み片３５と、ロック孔４５との隙間Ｓに薄板２１を挿入しても、図５（ｂ）に示すように、薄板２１の先端が挿入先でラッチ爪５１の当接面５９に当たるのみとなり、従来のように、傾斜面１９を押圧してラッチ４９を上方へ移動させることができない。
【００３２】
なお、ラッチ４９のロック解除は、ロック部４１に設けられる不図示のシリンダー錠に合鍵が挿入され、この合鍵が回されることにより、可能となる。すなわち、合鍵が回転され、ラッチ４９に退出方向の付勢力が付与されている状態で、直接的に、或いはスライダー３３を介して摘み片３５を、コイルバネ５７の付勢力に抗してロック孔４５へ押し込めば、係止穴４３に対する返し突起５５の係止が解除され、ラッチ４９が解除機構の付勢力によって係止穴４３から退出する。これにより、ファスナー錠１００は、ロック解除されたことになる。後は、摘み片３５を引き抜くのみで、スライダー３３の移動が可能となる。
【００３３】
したがって、このファスナー錠１００によれば、摘み片３５の表裏に貫通する係止穴４３と、摘み片３５先端のテーパ面４７と、係止穴４３に嵌入するラッチ４９と、ラッチ４９の先端に突出して設けられ係止穴４３に係止する返し突起５５と、摘み片３５を押し出す方向に付勢するコイルバネ５７と、ラッチ４９の基端側で挿入方向と略垂直に形成された当接面５９とを備えたので、摘み片３５がロック孔４５に挿入されると、摘み片３５の係止穴４３にラッチ４９が嵌入し、コイルバネ５７が摘み片３５を押し戻す方向に付勢することで、ラッチ先端の返し突起５５が係止穴裏縁４３ａに係合する。
【００３４】
したがって、ラッチ４９は、係止穴４３からの抜脱が返し突起５５によって阻止され、振動・衝撃等によるロック解除が確実に防止される。また、ロック孔４５に薄板２１を挿入しても、薄板先端が挿入先でラッチ４９の垂直な当接面５９に当たるのみなので、従来のように、ラッチ４９の傾斜面１９を押圧して、その分力でラッチ４９を係止穴４３から抜脱する方向へ押し上げることができない。この結果、ロック状態を確実にし、施錠信頼性を向上させることができるとともに、薄板２１を挿入することによる不正解錠を阻止して、防犯性を向上させることができる。
【００３５】
また、ラッチ４９に当接面５９を形成するので、ラッチ爪５１の挿入方向の全長を短くでき、その結果、摘み片３５に形成する係止穴４３を小さくできるので、摘み片３５を強度的に有利に形成できる。
【図面の簡単な説明】
【００３６】
【図１】本発明に係るファスナー錠の摘み片に垂直な方向の断面図である。
【図２】本発明に係るファスナー錠が設けられるファスナーの斜視図である。
【図３】摘み片挿入途中の断面図である。
【図４】摘み片ロック状態の断面図である。
【図５】薄板挿入による不正解錠時の説明図である。
【図６】従来のファスナー錠の摘み片に垂直な方向の断面図である。
【図７】従来のファスナー錠における摘み片挿入途中の断面図である。
【図８】従来のファスナー錠における薄板挿入による不正解錠時の説明図である。
【符号の説明】
【００３７】
３１…ファスナー
３３…スライダー
３５…摘み片
３７ａ，３７ｂ…務歯
３９ａ，３９ｂ…テープ
４１…ロック部
４３…係止穴
４３ａ…裏縁
４５…ロック孔
４７…テーパ面
４９…ラッチ
５５…返し突起
５７…付勢手段（コイルバネ）
５９…当接面
１００…ファスナー錠
【図１】
2007289337.tif 000003
【図２】
2007289337.tif 000004
【図３】
2007289337.tif 000005
【図４】
2007289337.tif 000006
【図５】
2007289337.tif 000007
【図６】
2007289337.tif 000008
【図７】
2007289337.tif 000009
【図８】
2007289337.tif 000010